(57)【要約】  移動体向けテレビ放送用の高周波信号を受信するための方法であって、放送されるべきプログラムを第１の規格を用いて第１の受信路によって受信し、そのバックグラウンドで、少なくとも１つの別の受信路によって、少なくとも１つの別の規格で受信可能な、放送されるべき同じプログラムをサーチし、前記放送されるべきプログラムをプログラムリスト内に示し、選択する方法において、前記少なくとも１つの別の受信路によって受信可能な同じプログラムを、選択肢リスト内に、前記放送されるべきプログラムに対する選択肢として示し、前記少なくとも１つの別の規格上で受信可能な前記プログラムの選択肢が選択されると、前記第１の受信路をこの別の規格に合わせる。
2015510347.tif 000002
【特許請求の範囲】
【請求項１】
移動体向けテレビ放送のための高周波信号受信方法であって、
第１の受信路によって第１の規格を用いて、放送されるべきプログラムを受信し、バックグラウンドで、少なくとも１つの別の規格で受信可能な、放送されるべき同じプログラムを少なくとも１つの別の受信路によってサーチし、
前記放送されるべきプログラムをプログラムリスト内に示し、選択する方法において、
前記少なくとも１つの別の受信路によって受信可能な同じプログラムを、選択肢リスト内に、前記放送されるべきプログラムに対する選択肢として示し、
前記少なくとも１つの別の規格上で受信可能な前記プログラムの選択肢が選択されると、前記第１の受信路を当該別の規格に合わせる、
ことを特徴とする、移動体向けテレビ放送のための高周波信号受信方法。
【請求項２】
各受信可能なプログラムに対して、１つの選択肢リストを格納し、
当該選択肢リストは、前記同じ規格または異なる規格を用いて受信可能な、並行して提供される全てのプログラムに関する情報を含んでいる、請求項１記載の方法。
【請求項３】
各プログラムの前記選択肢リストを、前記第２の受信路を介して持続的に更新する、請求項１または２記載の方法。
【請求項４】
前記第２の受信路を用いたバックグラウンドサーチを介して新たなプログラムが見出された場合に、同じコンテンツを有するプログラムが既に存在するか否かを現在存在するプログラムリスト内で検査し、
当該プログラムリスト内に同じコンテンツを有するプログラムが既に存在する場合には、現在放送されるべきプログラムの属するプログラムリストの選択肢リスト内に前記新たに見出されたプログラムを記入する、請求項１から３までのいずれか１項記載の方法。
【請求項５】
前記現在受信されているプログラムを持続的に監視し、前記事前に設定可能なパラメータが事前に設定可能な閾値を上回ると、事前に設定可能な基準に基づいて、ある規格で受信された放送されるべきプログラムから、別の規格で受信される同じプログラムへの切り替えを行う、請求項１から４までのいずれか１項記載の方法。
【請求項６】
前記事前に設定可能なパラメータが事前に設定可能な調整された閾値を上回ると、ある規格で受信された、同じコンテンツを有するプログラムから、別の規格で受信される、同じコンテンツを有するプログラムへの切り替えを行う、請求項１から５までのいずれか１項記載の方法。
【発明の詳細な説明】
【技術分野】
【０００１】
本発明は、高周波信号を受信する方法に関する。ここでは、第１の受信路によって、放送されるべきプログラムが第１の規格を用いて受信され、さらに、少なくとも１つの別の受信路によって、バックグラウンドで、少なくとも１つの規格で受信可能な、放送されるべき、同じプログラムがサーチされる。ここでこの放送されるべきプログラムは、プログラムリスト内に示され、選択される。これは、請求項１の上位概念に記載されている。
【０００２】
車両内のテレビによって放送される高周波信号を受信するための近年の受信装置では、放送されるべきテレビプログラムが受信装置で選択可能であることが周知である。選択されたプログラムに依存して受信装置は、上記の規格の高周波信号を受信し、この高周波信号によって、選択されたこのプログラムが車両の現在位置で受信される。この規格に合わせられていると、この所望のプログラムが車内で放送される。この放送されるべきプログラムはプログラムリスト内に示される。その間にバックグラウンドでは、車両の現在位置で、この放送されるべきプログラムの他に受信可能である更なるプログラムが別の受信路によってサーチされる。これらのプログラムも、プログラムリスト内に示される。
【０００３】
ユーザーはここで、表示されているプログラムリストから、自身が見たいプログラムを選択することができる。ユーザーが、現在放送されているプログラムを別のプログラムに変える場合には、バックグラウンドで自動的に、受信装置によって、この別の放送されるべきプログラムに合わせられる。この方法は、放送されるべきプログラムを合わせられたこの規格で放射する送信所の到達範囲内に車両がある場合には、問題無く機能する。しかし、車両の通常運転時には、車両の現在位置は変化するので、絶え間なく次のことが生じる。すなわち、かろうじてこの送信所のこの合わせられた規格で受信可能であった放送されるべきプログラムが、受信可能でなくなる、ということが生じる。このような場合には、例えば、ＤＥ１０２００５０３９５０７Ａ１号から公知であるように、自動的な切り替えを行うことが必要である。この従来技術文献には、ある受信路によって、所望のプログラムが放送され、バックグラウンドで、同じデータコンテンツを有するプログラムが別の受信路でサーチされることが記載されている。所定の判断基準に基づいて、現在放送されているプログラムが見えづらくなると、バックグラウンドでサーチされた別の受信路に切り替えられる。これによって、放送されるべきプログラムが、これまでの放送よりも良い質で放送される。
【０００４】
しかしここでこの公知の方法およびその受信装置は、同じ規格内での、あるプログラムから別のプログラムへの切り替えを実施することにのみ適しており、かつ、そのためにのみ構成されている。すなわち受信装置は、例えば、第１の送信所からアナログ／デジタルで放送されるプログラムＺＤＦを受信するためにのみ構成されている。この送信所からのこのプログラムがもはや同じ規格で放送されない地域に車両が移動すると、このプログラムＺＤＦは同じ規格では受信されるが、別の規格では受信されない。
【０００５】
規格は、次のような特徴を有している。すなわち、これが種々の受信パラメータ、例えば変調、符号化、オーディオおよびビデオに使用されているコードを有している、という特徴を有している。通常、各規格毎に独立した受信ハードウェアが必要である。これらは共同して、１つの受信路を形成する。これは次のことを意味している。すなわち、各受信路（前面、バックグラウンド）は、各規格に対して、独立したハードウェアを有している。種々の受信ハードウェアは、１つの受信路にまとめられる。
【０００６】
用語「サービスフォローイング」とは、現在地を変えても、選択されたサービスを追跡することをユーザーに可能にする方法のことである。用語「サービス」とは、プログラム（例えばドイツにおけるＡＲＤ、ＺＤＦ等、中国、日本におけるＣＣＴＶ１、ＮＨＫ等）のことである。このために、ＴＶ受信器はおのずから受信周波数を切り替え、常に最良の質で、調整されたプログラムをユーザーに提供することを試みる。この方法はＤＥ１０２００５０３９５０７Ａ１号に記載されており、多くの移動用受信器で実行されている。しかしこの方法は、１つの規格に制限されてしまっている。
【０００７】
本発明の課題は、従来技術に比して改善された、移動体向けテレビ受信用の、高周波信号を受信する方法を提供することである。
【０００８】
上述の課題は、請求項１の特徴部分の構成によって解決される。
【０００９】
本発明では、少なくとも１つの別の受信路を用いて受信可能なプログラムが、選択肢リスト内に、放送されるべきプログラムに対する選択肢として示される。ここでは、少なくとも１つの別の規格で受信可能なプログラムの選択肢が選択されると、第１の受信路は、この別の規格に合わせられる。従って本発明の方法および相応に構成された受信装置によって、車両のその時々の現在位置において、プログラムリスト内にはじめに、ユーザーによって選択された、視聴を希望するプログラムを示すことが可能である。同時に、第１の受信路、すなわち、信号の受信、処理および表示のためのその手段がこのプログラムに合わせられ、これが表示される。同じく同時に、バックグラウンドにおいて、同様に相応に形成された第２の受信路によって、異なる規格で送信所から放射された同じプログラムのサーチが行われる。放送されるべきこのようなプログラムが、別の規格上の選択肢として、今使用されるものとして識別された場合には、これは選択肢リスト内に示される。このようにして、例えば、テレビ画像および／または受信器の音声の悪化時に最高の選択肢が選択され、自動的に、前面受信路が新たな規格に合わせられる。
【００１０】
すなわち、規格間での送信所追跡が使用されることが新しい。このために、ＴＶ受信器（すなわち、各受信路の全体的なハードウェア）は、使用されているないしは受信可能な規格を受信、評価および放送することができなければならない。
【００１１】
複数の規格にわたった送信所追跡は、ＴＶ受信器が少なくとも２つの受信路を有している場合にのみ実施可能である。これら２つの経路は通常、前面路とバックグラウンド路と称される。前面路を介して、現在合わせられているプログラム（サービス）が放送される。バックグラウンド路を介して、プログラムリストは永続的に最新の状態に保持される。この方法は、モバイルでの使用のためのものである。なぜなら、プログラムの受信状況が常に変化するからである。
【００１２】
省略形と定義：
【表１】
2015510347.tif 000003
【００１３】
本発明の発展形態では、各受信可能なプログラムに対して、選択肢リストが格納される。ここでこの選択肢リストは、同じコンテンツを放送する、同じまたは異なる規格を用いて受信可能な、並行して供給可能な全てのプログラムに関する情報を含んでいる。これによって、車のユーザーには常に、受信可能なプログラムが記載されたプログラムリストと、この受信可能なプログラムそれぞれに対する選択肢リストが提供され、ここから使用者は選択をすることができる。
【００１４】
受信地域が重畳している場合には、頻繁に、同じプログラムが複数回受信されることがある。これらは、通常、別のチャネル（周波数）上にある。しかしユーザーに可視のプログラムリスト内には、このプログラムは一度しか記入されていない。従って各プログラムは１つの選択肢リストを所有する。このリスト内では、全ての同じプログラムがまとめられている。
【００１５】
この選択肢リストに基づいて、常に、どの別のチャネル（周波数）上に、同じコンテンツを有するプログラムが存在するのかが既知である。ここで、どの規格にこれらのプログラムが属しているのかは関係ない。重要なのは、全てのプログラムが同じコンテンツを有している、ということである。
【００１６】
本発明の発展形態では、各プログラムの選択肢リストは、持続的に第２の受信路を介して更新される。これは、常に、現在放送されているプログラムに対する選択肢が選択に供されている、という利点を有している。
【００１７】
異なる規格間での合理的な送信所追跡を実施するために、各プログラム（サービス）に選択肢リストが格納される。このリストは、同じコンテンツを放送する、並行して提供可能な全てのプログラムに関する情報を含んでいる。
【００１８】
この選択肢リストは、同様に、持続的にバックグラウンド路を介して更新される。
【００１９】
本発明の発展形態では、バックグラウンドサーチを介して、第２の受信路を用いて、新たなプログラムが見つけられた場合には、同じコンテンツを有するプログラムが既に存在するか否かが現在存在するプログラムリスト内で検査され、プログラムリスト内に同じコンテンツを有するプログラムが既に存在する場合には、現在放送されるべきプログラムの属するプログラムリストの選択肢リスト内にこの新たに見つけられたプログラムが記入される。これは次の利点を有する。すなわち、継続的に、放送されるべきプログラムが放送可能になり、これに対して並行に、同じ新たに加えられるべきであるが、別の規格で放送され、受信されるプログラムが選択肢リスト内に加えられる、という利点である。
【００２０】
バックグラウンドサーチ（バックグラウンド路）を介して新たなサービスが見つけられると、現在存在するプログラムリストにおいて、同じコンテンツを有するプログラムが既に存在するか否かが検査される。プログラムリスト内に同じコンテンツを有するプログラムが存在する場合には、新たに見つけられたこのサービスが、このプログラムの選択肢リスト内に記入される。
【００２１】
本発明の発展形態では、現在受信されているプログラムが持続的に監視され、事前に設定可能な判断基準に基づいて、事前に設定可能なパラメータが設定可能な閾値を上回ると、ある規格で受信される放送されるべきプログラムから、別の規格で受信される同じプログラムに切り替えられる。
【００２２】
同じコンテンツを有している複数のサービスをまとめるための手法は幾つかある。異なる規格からの複数のサービスがまとめられることによって、規格固有の表を比較することが省かれる。
【００２３】
この比較は、同じ規格内での送信所追跡時にのみ使用される。
【００２４】
本発明の発展形態では、事前に設定可能なパラメータが事前に設定可能な調整された閾値を上回ると、ある規格で受信された同じコンテンツを有するプログラムから、同じコンテンツを有する、別の規格で受信されるプログラムに切り替えられる。
【００２５】
異なる規格間での送信所追跡時には、以降の比較が使用される。
・サービスネームの比較
・ＥＰＧ情報の比較
・存在するテレテキスト情報の比較
【００２６】
できるだけ一貫した、エラーの無い画像をユーザーに提供することを可能にするために、現在合わせられているサービスは持続的に監視されなければならない。使用されている規格に応じて、特定のパラメータが使用可能である。
・レベル
・ビットエラーレート
・パケットエラー
【００２７】
これらのパラメータは、周期的に評価される。これらは、現在合わせられているプログラムが依然として受信すべきであるか否かに関する示唆を与える。パラメータ固有の計算によって、受信の経過も評価される。正しく設定された閾値に基づいて、この場合には、同じコンテンツを有するプログラム（択一的なサービス）への切り替えが強制される。
【００２８】
択一的なサービスの監視も同様に、バックグラウンドにおいて周期的に行われなければならない。ここでは同様に、現在のサービスの監視時と同じパラメータが使用される。ここでも、このサービスを実際の択一的なものとして使用するために上回らなければならない閾値が設定される。
【００２９】
選択肢切り替えを実施するために、以下の条件が満たされなければならない。
１．現在合わされているサービスがもはや受信すべきものではない
２．バックグラウンド監視に基づいて、使用されるべき選択肢として選択された択一的なサービスが存在しなければならい。
【００３０】
２つの条件が満たされると、内部のチューニング変更過程が開始される。ここでは、この新たなサービスがどの規格に属しているのかは重要でない。
【００３１】
以降で本発明をより詳細に、図に基づいて説明する。
【図面の簡単な説明】
【００３２】
【図１】ユーザーが見ることができるプログラムリスト
【図２】ユーザーが見ることができるプログラムリスト
【図３】ユーザーが見ることができるプログラムリスト
【図４】ユーザーが見ることができるプログラムリスト
【図５】ユーザーが見ることができるプログラムリスト
【図６】ユーザーが見ることができるプログラムリスト
【００３３】
図１は、ユーザーが見ることができるプログラムリストを示している。これは例えば４つのプログラムから成る。ここで、このプログラム２は、放送されるべきプログラムとして選択されている。
【００３４】
図２は、図１と同じプログラムリストを示している。ここではさらに、このプログラムリスト内の少なくとも１つのプログラムに対して、有利にはプログラムリストの各プログラムに対して、選択肢リストが作成され、存在していることが見て取れる。この例では、次のことが分かる。すなわち、現在ある規格によって受信されている放送されるべきプログラム２に対して、同じコンテンツを有しているが、別の規格（チャネルＡ、ＢおよびＣ）で受信され、放送される、３つのさらなるプログラム２が存在していることが見て取れる。
【００３５】
図３は、図２と同じ状況を示している。しかし、選択肢リスト内では、第１のプログラム２が規格ＩによってチャネルＡ上で受信可能であり、これに対して相対的に同じプログラム２が規格ＩＩによってチャネルＢ上で受信可能であり、同様に、同じプログラム２がチャネルＣ上で規格ＩＩＩによって受信可能であることが示されている。これは次のことを意味している。すなわち、プログラムリスト内に記入され、現在放送されているプログラム２並びに選択肢リスト内に記入されているプログラム２全てが、異なる規格で受信可能であることを意味している。
【００３６】
図４は、図２および３と同じ状況を示している。相違点は、以下の通りである。受信装置の受信路を用いてバックグラウンドサーチによって、次のことが確認される。すなわち、プログラム２が、現在受信されている（プログラムリスト内）規格のみによって受信および放送可能なのではなく、また、規格Ｉ、ＩＩ、ＩＩＩにおいてチャネルＡ、ＢおよびＣ上でのみ放送されるのではなく、同じコンテンツを有して、さらにチャネルＤ上で、規格Ｉ、ＩＩまたはＩＩＩまたは別の規格ＩＶを用いて受信される、ということが確認される。このことが見出されると、この新たに求められたプログラム２が選択肢リスト内に記入される。これは図４に示されている。
【００３７】
図５および６では、次のことが示されている。すなわち、プログラムリスト内のプログラム２が、詳細に記載されていない規格によって受信され、現在放送されているということが示されている。これは１つの形態であり、ここで図５では、プログラムリスト内のプログラム２がチャネルＡ上で受信および放送される形態が示されている。すなわち、この場合には、プログラムリスト内のプログラムが付加的に選択肢リスト内にも現れ、示される。このようなことは生じ得るが、必ず、生じるということではない。ここでバックグラウンドサーチに基づいて、例えばこれまで、チャネルＡ上で放送されていたプログラム２が、同じコンテンツで、より良好にチャネルＣを介して受信可能であることが確認されると、このプログラム２は、チャネルＣ上のこのプログラム２によってプログラムリスト内に受け入れられ、放送される。これは、図６に示されている。これに対して択一的に、選択肢リスト内に示されていた、現在放送されるべきであるプログラムをプログラムリスト内に入れ、選択肢リストから消すこともできる。
【図１】
2015510347.tif 000004
【図２】
2015510347.tif 000005
【図３】
2015510347.tif 000006
【図４】
2015510347.tif 000007
【図５】
2015510347.tif 000008
【図６】
2015510347.tif 000009
【国際調査報告】
2015510347.tif 000010
2015510347.tif 000011
2015510347.tif 000012
2015510347.tif 000013
2015510347.tif 000014
2015510347.tif 000015